【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
１種または複数の芳香族二酸無水物と１種または複数の脂肪族ジアミンから誘導され、熱に曝すと２ＧＰａ未満のモデュラスを有する硬化したポリイミドを形成するポリアミック酸と、
アミン（メタ）アクリレート、アミンメタクリルアミド、およびその組合せからなる群から選択される化合物とアミン非含有（メタ）アクリレート化合物とを含むエチレン性不飽和感光性モノマー混合物と、
光開始剤と、
増感剤とを含み、
前記１種または複数の脂肪族ジアミンが、１，６−ヘキサメチレンジアミン、１，７−ヘプタメチレンジアミン、１，８−オクタメチレンジアミン、１，９−ノナメチレンジアミン、１，１０−デカメチレンジアミン（ＤＭＤ）、１，１１−ウンデカメチレンジアミン、１，１２−ジアミノ−ドデカン、１，３−ビス（３−アミノプロピル）−テトラメチルジシロキサン、イソホロンジアミン、およびその組合せからなる群から選択され、
水性炭酸塩中で現像可能であることを特徴とする低温硬化型感光性組成物。
【請求項２】
前記１種または複数の芳香族二酸無水物が、４，４’−オキシジフタル酸無水物、１，２，４，５−ベンゼンテトラカルボン酸無水物、４，４−（４，４’−イソプロピリデンジフェノキシル）−ビス（フタル酸無水物）、ベンゾフェノンテトラカルボン酸二無水物、３，３’，４，４’−ジフェニルスルホンテトラカルボン酸二無水物、２，２’−ビス−（３，４−ジカルボキシフェニル）ヘキサフルオロプロパン二無水物、およびその組合せからなる群から選択されることを特徴とする請求項１に記載の組成物。
【請求項３】
前記アミンメタクリレートおよびメタクリルアミドが、Ｎ−メチルアミノ−ビス−（エチルメタクリレート）、ジメチルアミノプロピルメタクリルアミド、ジメチルアミノエチルメタクリレート、アクリル化アミンオリゴマー、およびその組合せからなる群から選択されることを特徴とする請求項１に記載の組成物。
【請求項４】
前記アミン非含有（メタ）アクリレート化合物が、ポリエチレングリコール（２００）ジアクリレート、１，６−ヘキサンジオールジアクリレート、１，６−ヘキサンジオールジメタクリレート、トリエチレングリコールジアクリレート、トリエチレングリコールジメタクリレート、１，１０−デカンジオールジアクリレート、１，１２−ドデカンジオールジアクリレート、オキシエチル化フェノールアクリレート、およびその組合せからなる群から選択されることを特徴とする請求項１に記載の組成物。
【請求項５】
前記アミン（メタ）アクリレートおよびアミン非含有（メタ）アクリレートが、組成物中に乾燥重量％で実質上等量存在することを特徴とする請求項１に記載の組成物。
【請求項６】
前記二酸無水物が４，４’−オキシジフタル酸無水物を含み、前記ジアミンが１，１２−ジアミノドデカンを含むことを特徴とする請求項１に記載の組成物。
【請求項７】
前記二酸無水物が４，４’−オキシジフタル酸無水物を含み、前記ジアミンが１，１２−ジアミノドデカンと１，３−ビス（アミノプロピル）−テトラメチルジシロキサンの混合物を含むことを特徴とする請求項１に記載の組成物。
【請求項８】
前記ジアミン混合物が、約９５モルパーセントの１，１２−ジアミノドデカンと約５モルパーセントの１，３−ビス（アミノプロピル）−テトラメチルジシロキサンを含むことを特徴とする請求項７に記載の組成物。
【請求項９】
前記ジアミン混合物が、約７５モルパーセントの１，１２−ジアミノドデカンと約２５モルパーセントの１，３−ビス（アミノプロピル）−テトラメチルジシロキサンを含むことを特徴とする請求項７に記載の組成物。
【請求項１０】
粘着促進剤をさらに含み、前記粘着促進剤が、３−メルカプト−１Ｈ−１，２，４−トリアゾール、５−アミノ−１，３，４−チアジアゾール−２−チオール、２−メルカプトベンズイミダゾール２−（２’−ヒドロキシ−５−メタクリリロキシ−エチルフェニル）−２Ｈ−ベンゾトリアゾール、ポリベンズイミダゾール、およびその組合せからなる群から選択されることを特徴とする請求項１に記載の組成物。
【手続補正２】
【補正対象書類名】明細書
【補正対象項目名】０１３０
【補正方法】変更
【補正の内容】
【０１３０】
本発明の説明は例示するだけであり、実施形態の代表であることを理解すべきである。読者の便宜上、本発明の原理と利点を詳細に説明したが、説明は全ての可能な変形を排除するものではない。本発明の様々な態様による、代替の実施形態は本明細書には示さなかったが、それが存在しないことは、これらの実施形態を放棄する意味ではない。当業者であれば、添付の請求項に定義される本発明の精神と範囲から逸脱することなく、説明された実施形態の部分に等価の変形、代替、および変更を本発明の原理に組み込むことができることを理解するであろう。
本発明は以下の実施の態様を含むものである。
１．１種または複数の芳香族二酸無水物と１種または複数の脂肪族ジアミンから誘導され、熱に曝すと２ＧＰａ未満のモデュラスを有する硬化したポリイミドを形成するポリアミック酸と、
アミン（メタ）アクリレート、アミンメタクリルアミド、およびその組合せからなる群から選択される化合物とアミン非含有（メタ）アクリレート化合物とを含むエチレン性不飽和感光性モノマー混合物と、
光開始剤と、
増感剤と
を含み、水性炭酸塩中で現像可能であることを特徴とする低温硬化型感光性組成物。
２．前記１種または複数の芳香族二酸無水物が、４，４’−オキシジフタル酸無水物、１，２，４，５−ベンゼンテトラカルボン酸無水物、４，４−（４，４’−イソプロピリデンジフェノキシル）−ビス（フタル酸無水物）、ベンゾフェノンテトラカルボン酸二無水物、３，３’，４，４’−ジフェニルスルホンテトラカルボン酸二無水物、２，２’−ビス−（３，４−ジカルボキシフェニル）ヘキサフルオロプロパン二無水物、およびその組合せからなる群から選択されることを特徴とする前記１に記載の組成物。
３．前記１種または複数の脂肪族ジアミンが、１，６−ヘキサメチレンジアミン、１，７−ヘプタメチレンジアミン、１，８−オクタメチレンジアミン、１，９−ノナメチレンジアミン、１，１０−デカメチレンジアミン（ＤＭＤ）、１，１１−ウンデカメチレンジアミン、１，１２−ジアミノ−ドデカン、１，３−ビス（３−アミノプロピル）−テトラメチルジシロキサン、イソホロンジアミン、およびその組合せからなる群から選択されることを特徴とする前記１に記載の組成物。
４．前記アミンメタクリレートおよびメタクリルアミドが、Ｎ−メチルアミノ−ビス−（エチルメタクリレート）、ジメチルアミノプロピルメタクリルアミド、ジメチルアミノエチルメタクリレート、アクリル化アミンオリゴマー、およびその組合せからなる群から選択されることを特徴とする前記１に記載の組成物。
５．前記アミン非含有（メタ）アクリレート化合物が、ポリエチレングリコール（２００）ジアクリレート、１，６−ヘキサンジオールジアクリレート、１，６−ヘキサンジオールジメタクリレート、トリエチレングリコールジアクリレート、トリエチレングリコールジメタクリレート、１，１０−デカンジオールジアクリレート、１，１２−ドデカンジオールジアクリレート、オキシエチル化フェノールアクリレート、およびその組合せからなる群から選択されることを特徴とする前記１に記載の組成物。
６．前記アミン（メタ）アクリレートおよびアミン非含有（メタ）アクリレートが、組成物中に乾燥重量％で実質上等量存在することを特徴とする前記１に記載の組成物。
７．前記組成物が、１パーセントの水性炭酸ナトリウムまたは水性炭酸カリウム中で現像可能であることを特徴とする前記１に記載の組成物。
８．前記二酸無水物が４，４’−オキシジフタル酸無水物を含み、前記ジアミンが１，１２−ジアミノドデカンを含むことを特徴とする前記１に記載の組成物。
９．前記二酸無水物が４，４’−オキシジフタル酸無水物を含み、前記ジアミンが１，１２−ジアミノドデカンと１，３−ビス（アミノプロピル）−テトラメチルジシロキサンの混合物を含むことを特徴とする前記１に記載の組成物。
１０．前記ジアミン混合物が、約９５モルパーセントの１，１２−ジアミノドデカンと約５モルパーセントの１，３−ビス（アミノプロピル）−テトラメチルジシロキサンを含むことを特徴とする前記９に記載の組成物。
１１．前記ジアミン混合物が、約７５モルパーセントの１，１２−ジアミノドデカンと約２５モルパーセントの１，３−ビス（アミノプロピル）−テトラメチルジシロキサンを含むことを特徴とする前記９に記載の組成物。
１２．粘着促進剤をさらに含むことを特徴とする前記１に記載の組成物。
１３．前記粘着促進剤が、３−メルカプト−１Ｈ−１，２，４−トリアゾール、５−アミノ−１，３，４−チアジアゾール−２−チオール、２−メルカプトベンズイミダゾール２−（２’−ヒドロキシ−５−メタクリリロキシ−エチルフェニル）−２Ｈ−ベンゾトリアゾール、ポリベンズイミダゾール、およびその組合せからなる群から選択されることを特徴とする前記１２に記載の組成物。